(57)【要約】【課題】  支柱を中心に回転可能な複数の陳列枠を備え、書籍等の商品を陳列枠に最後の１つまで最前位置で垂直に立てた状態で、購買者に常に見易くかつ取り出し易く陳列できる回転ラックを提供する。【解決手段】  回転ラック１は、基台２に立設した支柱３を中心に直交する４方向に向けて取り付けられかつ回動自在な４つの陳列ユニット５を有する。陳列ユニットは、垂直な後背部１１ａとその下端から前方下向きに傾斜する底部１１ｂとその前端から上向きに延出する垂直な前部１１ｃとを形成するように金属線材を折曲し、かつ左右に離隔して平行に配置した複数の枠部材１１を有する。更に、金属線材からなる矩形の横枠部材１２，１３を一体に結合して、商品を収容するためのスペースが画定される。【選択図】  図１
0003112526.tif 000002
【実用新案登録請求の範囲】
【請求項１】
基台と、前記基台に立設した支柱と、前記支柱を中心に回転可能に取り付けた複数の陳列枠とを備え、
少なくとも１つの前記陳列枠が、垂直な後背部と前記後背部の下端から前方に延出する底部と前記底部の前端から上方へ延出する垂直な前部とを形成するように、それぞれ折曲しかつ互いに左右方向に平行に配置した複数の線状枠部材からなり、前記底部が前方下向きに傾斜していることを特徴とする陳列用回転ラック。
【請求項２】
前記複数の陳列枠が上下方向に配置され、かつ上側の前記陳列枠が、垂直な後背部と前記後背部の下端から前方へ水平に延出する底部と前記底部の前端から上方へ延出する垂直な前部とを形成するように、それぞれ折曲しかつ互いに左右方向に平行に配置した複数の線状枠部材からなることを特徴とする請求項１に記載の陳列用回転ラック。
【請求項３】
４つの前記陳列枠が、それぞれ前記支柱を中心に直交する４方向に向けて、かつ前記各陳列枠の前記前部を、それに隣接する一方の前記陳列枠の端部と整合させて、互いに隣接させて配置されることを特徴とする請求項１又は２に記載の陳列用回転ラック。
【考案の詳細な説明】
【技術分野】
【０００１】
本考案は、例えば店舗において書籍やコンパクトディスクなどの商品を陳列するための回転ラックに関する。
【背景技術】
【０００２】
従来から、書店やコンビニエンスストアなどの店舗において、絵本などの書籍又は雑誌や、パッケージに収納したビデオディスク、コンパクトディスクのようなディスク類などの商品を陳列するために、回転式の陳列塔などと呼ばれる回転ラックが広く使用されている。一般に、これらの回転ラックは、商品を立てた状態で収容する陳列枠が、移動可能な基台に立設した支柱を中心に回転するようにかつ上下多段に取り付けられ、購買者は、これを回転させながら所望の商品を選択することができる。更に、陳列枠は、金属線材を折曲して形成され、その中に収容した商品を取り出すことなく、外から見易くなっている。（例えば、特許文献１乃至３を参照。）
【０００３】
【特許文献１】実公平５−１５８０６号公報
【特許文献２】特開２００３−５２５０１号公報
【特許文献３】実用新案登録第３０００９０７号公報
【考案の開示】
【考案が解決しようとする課題】
【０００４】
しかしながら、上述した従来の回転ラックは、商品の前部をガイド又は支持する陳列枠の前部が、前方へ傾斜するように形成されている。そのため、下側の陳列枠は、購買者にとって商品が見づらく、購買意欲を失わせるという問題がある。また、陳列枠に入れた商品が後側に倒れると、商品が見づらくなるだけでなく、見栄えが悪くなるので好ましくない。更に、最近の回転ラックは、店舗内又は店頭の狭いスペースに多くの商品を効率良く陳列することが要求されている。
【０００５】
そこで本考案は、上述した従来の問題点に鑑みてなされたものであり、その目的は、書籍やディスク類などの多数の商品を陳列するために、基台に立設した支柱を中心に回転可能に取り付けた複数の陳列枠を備える回転ラックにおいて、陳列枠には、最後の１つの商品まで最前位置で垂直に立てた状態で陳列でき、それによって、たとえ下側の低い位置に配置した場合でも、購買者にとって見易くかつ取り出し易い状態を保持して、購買意欲を高めることができるようにすることにある。
更に、本考案の目的は、商品の陳列効果を損なうことなく、回転ラックの専有面積をできる限り小さくして、比較的狭い店舗においても利用可能に構成することにある。
【課題を解決するための手段】
【０００６】
本考案によれば、上記目的を達成するために、基台と、該基台に立設した支柱と、該支柱を中心に回転可能に取り付けた複数の陳列枠とを備え、少なくとも１つの陳列枠が、垂直な後背部と該後背部の下端から前方に延出する底部と該底部の前端から上方へ延出する垂直な前部とを形成するように、それぞれ折曲しかつ互いに左右方向に平行に配置した複数の線状枠部材からなり、その底部を前方下向きに傾斜させた陳列用回転ラックが提供される。
【０００７】
この陳列枠に収容した複数の商品は、陳列枠底部の傾斜によって、最も手前の商品がその前面を陳列枠前部に当接させて垂直に立てた状態で、その後に他の書籍が重なりかつその上端に段差を生じさせて同様に垂直に立てて陳列される。手前又は中程の商品を取り出すと、それより後の商品は、陳列枠底部の傾斜に沿って前方へ移動し、前後に倒れることなく、同様に垂直に立てた状態で陳列される。従って、陳列枠を下側の低い位置に配置した場合でも、最後の１つの商品まで最前位置で垂直に立てて陳列され、購買者にとって見易くかつ取り出し易い状態を保持でき、購買意欲を高めることができる。
【０００８】
或る実施例では、複数の陳列枠が上下方向に配置され、かつその上側の陳列枠が、垂直な後背部と該後背部の下端から前方へ水平に延出する底部と該底部の前端から上方へ延出する垂直な前部とを形成するように、それぞれ折曲しかつ互いに左右方向に平行に配置した複数の線状枠部材から構成される。
【０００９】
陳列枠の底部を前方下向きに傾斜させると、その中の商品は上端に段差が生じるので、それだけ上側の陳列枠との間隔を大きく設定しなければならない。この実施例では、回転ラック全体の高さを、商品上端の段差により高くならないように抑制できる。このとき、上側の高い位置にある陳列枠は、底部に傾斜を設けて最後の１冊まで最前位置で移動させなくても、購買者にとって見易くかつ取り出し易い状態で陳列される。
【００１０】
別の実施例では、４つの陳列枠が、それぞれ支柱を中心に直交する４方向に向けて、かつ各陳列枠の前部をそれに隣接する一方の陳列枠の端部と整合させて、互いに隣接させて配置される。これにより、各陳列枠は、その端部が隣接する一方の陳列枠の前部から張り出すことなく、かつその前後方向の幅が隣接する他方の陳列枠の端部に隠れるので、回転ラックの占有面積を小さくできる。従って、店舗などにおいて陳列に必要な面積を小さくでき、かつ見栄えを良くして陳列効果を高めることができる。
【考案を実施するための最良の形態】
【００１１】
以下に、添付図面を参照しつつ、本考案による陳列用回転ラックの好適な実施例について詳細に説明する。
図１に示すように、本実施例の回転ラック１は略十字形をなす基台２を有し、その中心位置に円柱状の支柱３が立設されている。基台２の下面には、回転ラック１を移動できるように、十字形の各端部にそれぞれ旋回自在なキャスタ２ａが取り付けられている。支柱３には、その軸方向に沿って上下位置に概ね等間隔で略正方形をなす３枚の取付板４が、それぞれ図示しないローラ軸受を介して回動自在にかつ４辺の向きを整合させて取り付けられている。取付板４の周囲には、それらの各辺にそれぞれ陳列ユニット５が、例えばねじや溶接など公知の取着手段で固定されている。また、支柱３の上端には、短円柱状の広告表示体３ａが一体に固定されている。
【００１２】
各陳列ユニット５は、金属棒材を折曲することにより形成された、上下方向に細長い矩形の基枠５ａを有する。各基枠５ａには、上下位置に大きさの異なる４つの陳列枠６〜９がそれぞれ一体に取り付けられている。各陳列枠６〜９は、後述するように、基枠５ａよりも細い金属線材を折曲した複数の枠部材で籠状に構成されている。基枠５ａの下側に大型の２つの第１陳列枠６，７が上下に離隔して配置され、その上方に中型の第２陳列枠８と小型の第３陳列枠９とが下から順に配置されている。本実施例では、第１陳列枠６，７間の上下の間隔が上側の第１陳列枠７と第２陳列枠８との間隔よりも大きく設定され、従って下側の第１陳列枠６には、上側の第１陳列枠７よりも大きい書籍などの商品を収容することができる。
【００１３】
第１陳列枠６は、左右に離隔して配置した２つの前後方向の枠部１０を有する。枠部１０は、それぞれ金属線材からなる細長い矩形の枠をその長辺で折曲して形成され、それにより左右に離隔して平行に配置した２本の枠部材１１を有する。これらの枠部材は、垂直な後背部１１ａと、該後背部の下端から前方へ下向きに傾斜する底部１１ｂと、該底部の前端から上向きに延出する垂直な前部１１ｃとを形成するように折曲されている。
【００１４】
更に、第１陳列枠６は、両枠部１０に一体に結合された２つの横枠部材１２，１３を有する。各横枠部材１２，１３は、それぞれ金属線材の細長い矩形の枠からなり、その一方１２が前部１１ｃの半分位の高さ位置に水平に、かつ他方１３が前部１１ｃ及び後背部１１ａの上端付近を連結するように配置されている。このようにして第１陳列枠６には、両枠部１０及び横枠部材１２，１３の内側に、複数の書籍などの商品を立てて収容するための矩形スペースが画定される。尚、他方の第１陳列枠７は、第１陳列枠６と全く同一の構成を有するので、説明を省略する。
【００１５】
第２，第３陳列枠８，９は、第１陳列枠６，７と同様に、それぞれ左右に離隔して配置した２つの前後方向の枠部１４，１５を有する。各枠部１４，１５は、それぞれ金属線材からなる細長い矩形の枠をその長辺で折曲して形成され、それにより左右に離隔して平行に配置した２本の枠部材１６，１７を有する。これら枠部材は、垂直な後背部１４ａ，１５ａと、該後背部の下端から前方へ水平に延出する底部１４ｂ，１５ｂと、該底部の前端から上向きに延出する垂直な前部１４ｃ，１５ｃとを形成するように折曲されている。また、本実施例において、第２，第３陳列枠８，９の前後方向の幅は、第１陳列枠６，７と同一である。
【００１６】
更に、第２，第３陳列枠８，９は、それぞれ各枠部１４，１５に一体に結合された２つの横枠部材１８ａ，１８ｂ，１９ａ，１９ｂを有する。これらの横枠部材は、それぞれ金属線材の細長い矩形の枠からなり、その一方１８ａ，１９ａが前部１４ｃ，１５ｃの下部付近に水平に、かつ他方１８ｂ，１９ｂが前部１４ｃ，１５ｃ及び後背部１４ａ，１５ａの上端付近を連結するように配置されている。このようにして第２，第３陳列枠８，９には、それぞれ枠部１４，１５及び横枠部材１８ａ，１８ｂ，１９ａ，１９ｂの内側に、複数の書籍などの商品を立てて収容するための矩形スペースが画定される。
【００１７】
回転ラック１は、４つの陳列ユニット５が、図２に示すように、それぞれ支柱３を中心に直交する４方向に向くように配置されている。各陳列ユニット５は、それぞれ陳列枠６〜９の前記前部が左隣の陳列ユニットの右端部と一致するように、互いに隣接させる。これにより、各陳列ユニット５は、その右端部が隣接する陳列ユニット５の前部から張り出すことなく、その前後方向の幅が左隣の陳列ユニットの右端部に隠れる。従って、店舗などにおける回転ラック１の占有面積即ち陳列に必要な面積を小さくでき、かつ見栄えを良くして陳列効果を高めることができる。
【００１８】
図４は、各陳列枠６〜９にそれぞれ複数の書籍２０〜２３を収容した回転ラック１の使用状態を示している。第１陳列枠６，７に収容した書籍２０，２１は、枠部１０の底部１１ｂが前方下向きに傾斜しているので、最も手前の書籍が表紙を前部１１ｃに当接させて垂直に立てた状態で、その後に他の書籍が重なりかつその上端に段差を生じさせて同様に垂直に立てて陳列される。手前又は中程の書籍を取り出すと、それより後の書籍は、底部１１ｂの傾斜に沿って前方へ移動し、前後に倒れることなく、前部１１ｃに当接し又は前の書籍に重なって、垂直に立てた状態で陳列される。従って、第１陳列枠６，７は、下側の低い位置にあるにも拘わらず、最後の１冊まで最前位置で垂直に立てて、購買者にとって見易くかつ取り出し易い状態で陳列される。
【００１９】
他方、第２，第３陳列枠８，９に収容した書籍２２，２３は、枠部１４，１５の底部１４ｂ，１５ｂが水平なため、前後の書籍で上端に段差を生じることなく垂直に立てた状態で陳列される。従って、前記段差により回転ラック１全体の高さが高くなることを回避できる。また、第２，第３陳列枠８，９は、上側の高い位置にあるので、第１陳列枠６，７のように最後の１冊まで最前位置で移動させなくても、購買者にとって見易くかつ取り出し易い状態で陳列される。
【００２０】
更に、本実施例の回転ラック１は、金属線材をＵ字形に折曲したフック２４が、各陳列ユニット５の上端に一体に結合されている。フック２４は、陳列ユニット５から前方へ水平に延出するように取り付けられ、図４に示すように、これを商品２５又はパッケージに設けた孔２５ａに挿通して吊り下げて陳列する。また、フック２４の先端は、不用意な商品の落下を防止するために、僅かに上向きに折曲されている。
【００２１】
以上、本考案の陳列用回転ラックについて、その好適実施例を用いて詳細に説明した。しかしながら、当業者に明らかなように、本考案はその技術的範囲内において上記各実施例に様々な変更・変形を加えて実施することができる。
【図面の簡単な説明】
【００２２】
【図１】本考案による陳列用回転ラックを示す正面図である。
【図２】図１の陳列用回転ラックを示す上面図である。
【図３】図１の陳列ユニットの下側部分を示す側面図である。
【図４】図１の陳列用回転ラックの使用状態を示す図１と同様の正面図である。
【符号の説明】
【００２３】
１…回転ラック、２…基台、３…支柱、３ａ…広告表示体、４…取付板、５…陳列ユニット、５ａ…基枠、６，７…第１陳列枠、８…第２陳列枠、９…第３陳列枠、１０…枠部、１１…枠部材、１１ａ…後背部、１１ｂ…底部、１１ｃ…前部、１２，１３…横枠部材、１４，１５…枠部、１４ａ，１５ａ…後背部、１４ｂ，１５ｂ…底部、１４ｃ，１５ｃ…前部、１６，１７…枠部材、１８ａ，１８ｂ，１９ａ，１９ｂ…横枠部材、２０〜２３…書籍、２４…フック、２５…商品、２５ａ…孔。
【図１】
0003112526.tif 000003
【図２】
0003112526.tif 000004
【図３】
0003112526.tif 000005
【図４】
0003112526.tif 000006